【事件の表示】
　特願２０１０−１３９４４９「表示装置及びその駆動方法」拒絶査定不服審判事件〔平成２３年　６月　２日出願公開、特開２０１１−１０７６７７〕について、次のとおり審決する。
【結　論】
　本件審判の請求は、成り立たない。
【理　由】
１．手続の経緯
　特許出願：　平成２２年６月１８日　  
（パリ条約による優先権主張２００９年１１月１９日、韓国）
　拒絶査定：　平成２４年９月２４日（送達日：同年１０月２日）  
　拒絶査定不服審判の請求：　平成２５年１月３１日  
　手続補正：　平成２５年１月３１日
　拒絶理由通知：　平成２６年５月９日（以下、「当審拒絶理由」という。発送日：同年同月１３日）
　手続補正：　平成２６年６月２５日
　手続補正：　平成２６年８月１１日（以下、「本件補正」という。）
　　
  　
２．本願発明
　本願の請求項１ないし１９に係る発明は、本件補正によって補正された明細書、特許請求の範囲及び図面の記載からみて、その特許請求の範囲の請求項１ないし１９に記載された事項により特定されるとおりのものであるところ、その請求項１に係る発明は次のとおりである。 
　　
「一端及び他端がそれぞれ第１電圧及び第２電圧と接続する発光素子を含む画素回路を複数個含むパネルと、
　１フレーム単位の画像データの輝度値を小さくし、前記小さくした画像データによる画面が前記パネル上にディスプレイされるように制御信号及びデータ信号を出力する制御部と、
　前記小さくした画像データのうちの最高値を検出し、前記最高値に対応する駆動電流が生成されるようにする前記第１電圧と前記第２電圧との差値を計算する電圧差設定部と、　前記差値を満足するように、前記第１電圧及び前記第２電圧を生成して前記パネルに出力する電源供給部を含み、
　前記駆動電流は前記発光素子に供給される電流であり、
　不必要な消費電力を防止するように、毎フレームごとに最高輝度によって前記第１電圧及び前記第２電圧の差を調節する
　ことを特徴とする表示装置。」（以下、「本願発明」という。）
　
　
３．当審拒絶理由
　これに対し、当審拒絶理由における理由２の概要は、本願の各請求項に係る発明は、いずれも、本願の優先日前に頒布された刊行物である特開２００６−６５１４８号公報（発明の名称：表示装置及びその駆動方法、出願人：ソニー株式会社、公開日：平成１８年３月９日、以下、「引用例１」という。）に記載された発明、並びに、特開２００２−２５１１６７号公報（発明の名称：表示装置、出願人：三洋電機株式会社、公開日：平成１４年９月６日、以下、「引用例２」という。）及び特開２００８−１５１９４６号公報（発明の名称：エレクトロルミネッセンス表示装置、出願人：三洋電機株式会社、公開日：平成２０年７月３日、以下、「引用例３」という。）に記載された周知技術に基づいて、その優先日前にその発明の属する技術の分野における通常の知識を有する者が容易に発明をすることができたものであるから、特許法第２９条第２項の規定により特許を受けることができない、というものである。
　
　
４．引用例記載の事項・引用発明
（１）記載事項
　引用例１には、次の事項（ａ）ないし（ｄ）が図面の図１ないし図３とともに記載されている。
　
（ａ）
「【発明が解決しようとする課題】
【０００５】
  さて、一般に、有機ＥＬ素子の輝度は、素子に供給される駆動電流に依存し、駆動電流に比例して素子の発光輝度が大きくなる。従って、有機ＥＬ素子からなるディスプレイの消費電力は、表示輝度の平均で決まる。即ち、液晶ディスプレイと異なり、有機ＥＬディスプレイの消費電力は、表示画像によって大きく変動する。
【０００６】
  例えば、有機ＥＬディスプレイにおいては、全白画像を表示した場合に最も大きな消費電力を必要とするが、一般的な自然画の場合は、全白時に対して２０〜４０％程度の消費電力で十分とされる。
【０００７】
  しかしながら、電源回路設計やバッテリ容量は、ディスプレイの消費電力がいちばん大きくなる場合を想定して設計されることから、一般的な自然画に対して３〜４倍の消費電力を考慮しなければならず、機器の低消費電力化及び小型化の妨げとなっている。
【０００８】
  また、有機ＥＬ素子は、その寿命特性から、経時的に駆動電圧が上昇する傾向にある。そのため、ディスプレイに供給される電源電圧や有機ＥＬ素子のカソード電圧は、経時変化に伴う電圧上昇分のマージンを上乗せして設定されている。従って、機器の初期使用段階では、電圧マージン分が無駄に消費されていることなり、低消費電力化を困難なものにしている。
【０００９】
  本発明は上述の問題に鑑みてなされ、低消費電力化効率の高い表示装置及びその駆動方法を提供することを課題とする。」
　
（ｂ）
「【００１６】
［第１の実施の形態］
  図１は、本発明の第１の実施の形態による有機ＥＬアクティブマトリクス型表示装置１の概略構成図である。有機ＥＬアクティブマトリクス型表示装置１は、有機ＥＬ表示部２、水平駆動回路３、書込走査駆動回路４、制御回路５、ピーク検出回路６、信号処理回路７及び可変電圧源８で構成されている。
【００１７】
  図２は、有機ＥＬ表示部２の構成を示す概略図である。図示するように、書込走査線Ｘが行状に複数配列され、データ線Ｙが列状に複数配列されている。各書込走査線Ｘとデータ線Ｙの交差部には画素１０が配置されている。」
　
（ｃ）
「【００２０】
  図３は、有機ＥＬ表示部２の画素１０の一構成例である。図３に示す回路は、輝度情報の書込みをデータ線Ｙの電圧制御で行う電圧書込み型の画素回路１０Ａを示し、一つの画素回路１０Ａで一つの画素１０を構成している。画素回路１０Ａは、有機ＥＬ素子１１、電流供給線１２、データ線Ｙ、書込走査線Ｘ、書込走査トランジスタ１３、駆動トランジスタ１４及び保持容量１５を備えている。
【００２１】
  書込走査トランジスタ１３のソース（又はドレイン）は駆動トランジスタ１４のゲートに接続され、ドレイン（又はソース）はデータ線Ｙに接続されている。書込走査トランジスタ１３のゲートには、書込走査線Ｘが接続されている。駆動トランジスタ１４のソースは電流供給線１２に接続され、有機ＥＬ素子１１のアノードに接続されている。保持容量１５の一方の端子は駆動トランジスタ１４のゲートに接続され、他方の端子は電流供給線１２に接続されている。
【００２２】
  電流供給線１２は電源電圧（ＶＤＤ）に接続されており、有機ＥＬ素子１１を駆動し発光させる定電流源とされている。この電流供給線１２と駆動トランジスタ１４と有機ＥＬ素子１１とは、それぞれ直列に接続されており、有機ＥＬ素子１１の発光輝度は、駆動トランジスタ１４のゲート−ソース間電位（Ｖｇｓ）に対応する駆動電流（ソースとドレインを流れる電流）Ｉの大きさに依存（比例）する。
【００２３】
  なお、書込走査トランジスタ１３及び駆動トランジスタ１４は、ＭＯＳ（Metal Oxide Semiconductor）型電解効果トランジスタ、例えばポリシリコンＴＦＴ（Thin Film Transistor）で構成され、書込走査トランジスタ１３はＮ型、駆動トランジスタ１４はＰ型のトランジスタとされている。
【００２４】
  画素１０にデータを書き込むときは、書込走査線ＸをＨ（Ｈｉｇｈ）レベルにし、書込走査トランジスタ１３をＯＮ状態とする。このとき、データ線Ｙと駆動トランジスタ１４のゲートとが互いに接続される。データ線Ｙの電位が低いほど、駆動トランジスタ１４のソースとゲート間の電圧（Ｖｇｓ）が大きくなり、駆動トランジスタ１４のソースとドレインを流れる電流、すなわち有機ＥＬ素子１１の駆動電流が大きくなることによって、その発光輝度（発光強度）が大きくなる。保持容量１５は、駆動トランジスタ１４のゲート電圧を保持し、書込走査線ＸがＬ（Ｌｏｗ）レベルになっても有機ＥＬ素子１１の発光を維持する。これにより、有機ＥＬ素子の発光動作が、一走査サイクルの間、保持される。
【００２５】
  図１を参照して、ピーク検出回路６は、本発明の「ピーク値検出手段」に対応し、入力された映像データ（電圧信号）のピーク値を検出する回路で、その検出データ（電圧制御信号）を可変電圧源８へ出力する。信号処理回路７は、ピーク検出回路６を介して入力された映像データに基づいて、有機ＥＬ表示部２の各画素回路１０Ａに供給するデータ電位（Ｖｓｉｇ）に変換し、データ線Ｙに入力する。
【００２６】
  可変電圧源８は、カソード線９を介して、有機ＥＬ表示部２の各有機ＥＬ素子１１のカソードに接続されており、電源電圧（電流供給線１２）と各有機ＥＬ素子１１のカソード電圧との間の電位差を調整する機能を備えている。即ち、この可変電圧源８は、本発明の「電位差調整手段」に対応する。」
　
（ｄ）
「【００４８】
  さて、以上述べた説明を踏まえて、図１に示した本実施の形態の有機ＥＬアクティブマトリクス型表示装置１の動作について説明する。
【００４９】
  映像データは先ず、ピーク検出回路６に入力され、ここで映像データのピーク電位の検出が行われる。このピーク検出回路６におけるピーク検出データに基づいて電圧制御信号が生成され、これが可変電圧源８に出力される。一方、映像データはピーク検出回路６を通って信号処理回路７に入力される。ここで、映像データは、有機ＥＬ表示部２の各画素回路１０ＡのＶｓｉｇに相当するデータ電位に変換され、水平駆動回路３において各データ線Ｙ毎に入力される。
【００５０】
  可変電圧源８は、ピーク検出回路６からの電圧制御信号に基づいて、各画素回路１０Ａに共通に接続されたカソード線９を介して各画素回路１０Ａにおける有機ＥＬ素子１１のカソード電圧を高める方向に調整することにより、電流供給線１２の電源電圧ＶＤＤとカソード電圧Ｖｃとの間の電位差を小さくし、有機ＥＬ表示部２（表示装置１）の駆動消費電力の低減を図る。
【００５１】
  特に、本実施の形態においては、可変電圧源８によってカソード電圧Ｖｃを上げる際の基準として、Ｖｓｉｇデータで動作する駆動トランジスタ１４の飽和領域に動作点、即ち有機ＥＬ素子１１のアノード電圧が位置する範囲内で、カソード電圧Ｖｃの電圧を高めるようにしている。これにより、表示輝度をほとんど低下させずに、ＶＤＤ−Ｖｃ間の電位差を減少させ、消費電力の低減効率を高めることができる。
【００５２】
  つまり、ピーク検出回路６にて検出される映像データのピーク値が大きい場合、例えば図１３のＶｓｉｇ４に相当する場合には、カソード電圧Ｖｃを３Ｖ以上大きくすると輝度低下が大きくなるが、ピーク値が小さい場合、例えば図１３のＶｓｉｇ２に相当する場合には、カソード電圧Ｖｃを５Ｖまで上げても輝度低下にそれほど影響を与えない。すなわち、映像データのピーク値が小さいほどカソード電圧Ｖｃを上げることができるので、消費電力を抑えることができる。
【００５３】
  このように、本実施の形態においては、各列のデータ線に供給されるデータ電位のピーク値を検出し、その検出データに基づいて可変電圧源８による有機ＥＬ素子１１のカソード電圧Ｖｃを最適な電圧に調整することにより、有機ＥＬ表示部２の消費電力の低減を図ることが可能となる。
【００５４】
  可変電圧源８によるカソード電位Ｖｃの調整は、例えば、映像フレーム周期で行うことができる。この場合、フレーム毎に映像データのピークが異なる画像を表示する際に常に一定の消費電力低減効果が得られる。」
　
　これらの記載と図１ないし図３の内容からみて、引用例１には以下の発明が記載されている。
　
「電源電圧ＶＤＤ及びカソード電圧Ｖｃと接続する有機ＥＬ素子１１を含む画素回路１０Ａを複数個含む有機ＥＬ表示部２と、
　映像データのピーク値を検出し、電圧制御信号を出力するピーク検出回路６と、
　電圧制御信号に基づいて、電源電圧ＶＤＤとカソード電圧Ｖｃとの間の電位差を調整する機能を備えている可変電圧源８を含み、
　映像フレーム周期で、ピーク検出データに基づいて電位差が調整され、駆動消費電力の低減が図られる
　ことを特徴とする表示装置。」（以下、「引用発明」という。）
　　
　
５．対比
　本願発明と引用発明とを対比する。
　まず、引用発明の「電源電圧ＶＤＤ」及び「カソード電圧Ｖｃ」は、それぞれ本願発明の「第１電圧」及び「第２電圧」に相当する。また同様に、引用発明の「有機ＥＬ素子１１」は、本願発明の「発光素子」に相当し、引用発明の「有機ＥＬ表示部２」は、本願発明の「パネル」に相当するので、引用発明における「電源電圧ＶＤＤ及びカソード電圧Ｖｃと接続する有機ＥＬ素子１１を含む画素回路１０Ａを複数個含む有機ＥＬ表示部２」は、本願発明の「一端及び他端がそれぞれ第１電圧及び第２電圧と接続する発光素子を含む画素回路を複数個含むパネル」に相当する。
　また、引用発明の「映像データのピーク値」は、本願発明の「画像データのうちの最高値」に相当する。そして、引用発明においては「電圧制御信号」に基づいて、「表示輝度をほとんど低下させずに、ＶＤＤ−Ｖｃ間の電位差を減少」（段落【００５１】）させるように制御されているのであるから、前記「映像データのピーク値」に対応する駆動電流が生成されているといえる。したがって、引用発明の「映像データのピーク値を検出し、電圧制御信号を出力するピーク検出回路６」と、本願発明の「前記小さくした画像データのうちの最高値を検出し、前記最高値に対応する駆動電流が生成されるようにする前記第１電圧と前記第２電圧との差値を計算する電圧差設定部」とは、いずれも「画像データのうちの最高値を検出し、前記最高値に対応する駆動電流が生成されるようにする前記第１電圧と前記第２電圧とを設定する設定部」である点で共通する。また、引用発明においても、上記駆動電流が「有機ＥＬ素子１１」に供給される電流であることも明らかである。
　次に、引用発明の「電圧制御信号に基づいて、電源電圧ＶＤＤとカソード電圧Ｖｃとの間の電位差を調整する機能を備えている可変電圧源８」と、本願発明の「前記差値を満足するように、前記第１電圧及び前記第２電圧を生成して前記パネルに出力する電源供給部」とは、いずれも「前記設定に応じて、前記第１電圧及び前記第２電圧を生成して前記パネルに出力する電源供給部」である点で共通する。
　さらに、引用発明において「映像フレーム周期で、ピーク検出データに基づいて電位差が調整され、駆動消費電力の低減が図られる」点は、本願発明の「不必要な消費電力を防止するように、毎フレームごとに最高輝度によって前記第１電圧及び前記第２電圧の差を調節する」点に相当する。
　
　してみると、両者の一致点、相違点は次のとおりである。
　
（一致点）
「一端及び他端がそれぞれ第１電圧及び第２電圧と接続する発光素子を含む画素回路を複数個含むパネルと、
　画像データのうちの最高値を検出し、前記最高値に対応する駆動電流が生成されるようにする前記第１電圧と前記第２電圧とを設定する設定部と、
　前記設定に応じて、前記第１電圧及び前記第２電圧を生成して前記パネルに出力する電源供給部を含み、
　前記駆動電流は前記発光素子に供給される電流であり、
　不必要な消費電力を防止するように、毎フレームごとに最高輝度によって前記第１電圧及び前記第２電圧の差を調節する
　ことを特徴とする表示装置。」
　
（相違点）
相違点１：本願発明が、「１フレーム単位の画像データの輝度値を小さくし、前記小さくした画像データによる画面が前記パネル上にディスプレイされるように制御信号及びデータ信号を出力する制御部」を有するのに対し、引用発明においては、画像データによる画面が「有機ＥＬ表示部２」上にディスプレイされるように制御信号及びデータ信号を出力する制御部（制御回路５）は当然に備えているものの、「１フレーム単位の画像データの輝度値を小さく」することは行われていない点。また、その後の画像データの最高値の検出においても、本願発明は「小さくした画像データ」を対象としているが、引用発明では「小さくした画像データ」を対象とはしていない点。
　
相違点２：本願発明においては、「設定部」が「前記第１電圧と前記第２電圧との差値を計算する電圧差設定部」であって、「電源供給部」も「前記差値を満足するように」出力を行うのに対し、引用発明では「電源電圧ＶＤＤとカソード電圧Ｖｃとの間の電位差を調整する」際に、その差値を計算出力しているか否かが不明である点。
　
　
６．判断
　上記相違点１ないし２について検討する。
　
（１）相違点１について：
　上記引用例２，３にも記載のように、有機ＥＬ表示装置において、消費電力の低減を目的として、有機ＥＬ素子に印加する電圧（差）を制御すると共に、１フレーム単位の画像データの輝度値を小さくする制御を行うことは周知（以下、「周知技術」という。）である。
　
引用例２：特開２００２−２５１１６７号公報
「【０００８】本発明は、上記課題に鑑みなされたものであり、ＥＬパネルなどの表示装置の最大消費電力の抑制を可能とすることを目的とする。」
「【００２１】図４は、上記電流制御回路３００の他の構成例を示している。この電流制御回路３００では、電源回路２００から電源ラインＶＬに向かって流れる電流量に応じて制御信号を発生し、これにより各有機ＥＬ素子５０に供給するビデオ信号のコントラスト又は輝度レベルを制御する。また、同時に電源電圧Ｖddの制御も行っている。
【００２２】図４において回路３００は、電源回路２００と電源ラインＶＬとの間に上記と同様に電圧降下素子である抵抗３１０が設けられており、電源回路２００と電源ラインＶＬとの間の電流量に応じて電源電圧Ｖddが電圧降下分だけ下げられる。また、電流制御回路３００は、上記抵抗３１０に加え、抵抗３１０の端子間電圧に応じた制御信号を作成する制御信号発生部３２０を備える。制御信号発生部３２０で作成される制御信号は、図３に点線で示すように、表示コントローラ５００のビデオ信号処理回路５１０に供給され、ビデオ信号処理回路５１０は、この制御信号に応じてビデオ信号のコントラスト又は輝度レベルを制御する。
　・・・
【００２５】有機ＥＬ素子５０は、このようなビデオ信号（表示データ）の振幅に応じた電流を流して発光する。従って、表示データのコントラストを低下させるために、ビデオ信号処理回路５１０は、図中点線で示すように、制御信号に応じて表示信号の最小レベルを上昇させて最大輝度レベルと最小輝度レベルとの差を縮め、この新最小レベルと最大レベルとの間に表示データ振幅が収まるように表示データ振幅をほぼ均等に圧縮する。このような振幅の圧縮は、例えば、デジタルビデオ信号に含まれる階調データをアナログ変換する際に、１階調当たりの電圧ステップを通常時より小さくすることで実現できる。
【００２６】電流制御回路３００からの制御信号（電圧レベル）に応じてこのように表示信号の最小レベル（白レベル）の上昇度合いを決定して、有機ＥＬ素子に供給することで、表示データの最小レベルの上昇分だけ各有機ＥＬ素子に流れる電流量が減少する。有機ＥＬ素子での消費電力は、素子に流れる電流量が小さくなればそれだけ小さくなるので、このような制御により、有機ＥＬ素子での電力消費を制限することができる。また、コントラスト低下処理では、表示データの振幅を均一に狭めるため、表示データ（特に階調）の再現性は損われず、表示データの再現能力は通常時と変わらない。よって、このようなコントラスト制御によりデータの再現能力を低下させることなく、表示装置の消費電力を制限することができる。」
　
引用例３：特開２００８−１５１９４６号公報
「【０００９】
  本発明は、上記課題に鑑みなされたものであり、ＥＬ表示装置の消費電力の低減を可能とすることを目的とする。」
「【００２７】
  このようなＥＬパネル１００において、各画素の素子駆動Ｔｒ２のＶｄ−Ｉｄ特性とＥＬ素子１８のＶＩ特性を重ね合わせると図２のようになる。図２において、横軸の右端は、駆動電源電圧ＰＶＤＤであり、左側がカソード電圧ＣＶである。縦軸は、ＴＦＴのＶＩ特性についてはドレイン電流Ｉds、ＥＬ素子のＶＩ特性についてはアノードカソード間電流Ｉoledを示す。
【００２８】
  ＴＦＴ特性Ａ，Ｂは、表示装置の使用条件Ａ，Ｂに対応してそれぞれ設定されたデータ信号Ｖsigをゲートに受けて動作する素子駆動Ｔｒ２のドレイン・ソース間電圧Ｖｄｓとドレイン電流Ｉdsとの関係である。例えば使用条件Ａは、晴天の屋外など外光輝度が高くＥＬパネルの視認必要輝度が高い場合であり、通常と同一内容の表示を視認させるために、通常よりも高輝度でＥＬ素子１８を発光させる必要があり、データ信号Ｖsigの最大値の絶対値Ｖsigmaxを大きく設定している（ＶsigmaxＡ）。一方、使用条件Ｂは、例えば、屋内で外光輝度が低く、ＥＬパネルの視認必要輝度が低い場合であり、基準状態と同一内容の表示を視認させるためには通常よりも低輝度でＥＬ素子１８を発光させれば良く、データ信号Ｖsigmaxの絶対値を小さく設定している（ＶsigmaxＢ）。
【００２９】
  ここで、本実施形態では、表示を行う場合、ドレインソース間電圧Ｖｄｓの変動によるドレイン電流Ｉdsの急激な変化を防止してＥＬ素子を定電流駆動することを目的とし、素子駆動Ｔｒ２は飽和領域で動作させ、ＥＬ素子１８に電流を供給している。
【００３０】
  この飽和領域は、素子駆動Ｔｒ２の動作しきい値Ｖｔｈ、ゲート・ソース間電圧Ｖｇｓ、ドレイン・ソース間電圧Ｖｄｓが、Ｖｇｓ−Ｖｔｈ＜Ｖｄｓを満たす動作領域であり、Ｖｄｓが変化してもドレイン電流Ｉdsの変化は小さく、素子駆動Ｔｒ２のゲートに供給するデータ信号Ｖsigの電圧に応じたドレイン電流Ｉdsを得ることができる。一方、Ｖｇｓ−Ｖｔｈ＞Ｖｄｓの電圧条件を満たす場合には、素子駆動Ｔｒ２は、線形領域で動作し、Ｖｄｓに応じてドレイン電流Ｉdsが線形変化する。この線形領域と飽和領域の境界となるドレインソース間電圧Ｖｄｓが、ピンチオフ電圧であり、このピンチオフ電圧は、素子駆動Ｔｒ２のゲートに供給されるデータ信号Ｖsigの絶対値が小さくなるほど、その絶対値が低下する（図２のＴＦＴピンチオフ特性参照）。
【００３１】
  ＥＬ素子１８は、上記素子駆動Ｔｒ２と駆動電源ＰＶＤＤとカソード電源ＣＶとの間に直列接続されているため、ＥＬ素子１８のＶＩ特性線とＴＦＴ特性線Ａ及びＢとの交点Ｐａ，Ｐｂが、各使用条件Ａ，Ｂに応じたデータ信号ＶsigmaxＡ、ＶsigmaxＢが素子駆動Ｔｒ２に供給された場合のＥＬ素子１８の動作点Ｐａ，Ｐｂとなり、ＥＬ素子１８には、この動作点Ｐａ、Ｐｂにおける素子駆動Ｔｒ２のドレイン電流Ｉdsに等しい電流Ｉoledが流れ、そして、ＥＬ素子１８はこのＩoledに対応する輝度で発光する。
【００３２】
  通常、最も高いＶsigmaxＡに対応できるよう駆動電源電圧ＰＶＤＤを決め、またカソード電源電圧ＣＶは、素子駆動Ｔｒ２及びＥＬ素子１８に電流が流れて生ずる電圧降下を考慮し、最も高いＶsigmaxＡで素子駆動Ｔｒ２を駆動した場合にも、ＥＬ素子１８に十分な電流が流れることができるような低い電圧に設定する。なお、上述のように、本実施形態では、素子駆動Ｔｒ２を飽和領域で動作させて表示を行うため、図２に示すＴＦＴ特性Ａに対応するＥＬ素子１８の動作電圧（Ｐａ）とピンチオフ電圧との差が、丁度、ＥＬ素子１８のアノード電極とカソード電極との電位差の余裕、つまりカソード電源電圧ＣＶの設定しうる範囲（以下、ＣＶマージンという）に相当する。
【００３３】
  しかし、外光輝度などに応じ、図２に示すＴＦＴ特性Ｂのように、データ信号の最大値Ｖsigmaxを低下させた場合、ＥＬ素子１８の動作に必要な電圧（ＰＶＤＤ−ＣＶ）も、動作電流Ｉoledも低下し、ＴＦＴ特性Ａ（使用条件Ａ）の場合と比較すると、ＴＦＴ特性Ａに合わせて設定されたＣＶマージン（ピンチオフ電圧とＥＬ動作電圧との電位差）が拡大しているのがわかる。つまり、従来のようにカソード電源電圧ＣＶを一定とすると、データ信号Ｖsigmaxの電圧値を低下させた分の省電力化は図れるが、ＣＶマージンが拡大しており、カソード電流が無駄に流れてしまうことを防止することができない。
【００３４】
  そこで、本実施形態では、図３に示すように、使用条件に応じて、データ信号Ｖsigmaxを変化させると共に、それに応じてＣＶマージンが拡大しないように駆動電源電圧ＰＶＤＤとカソード電源電圧ＣＶとの差を調整する。つまり、使用条件に応じ、データ信号Ｖsigmaxを低下させる際、ＥＬ素子１８の動作電圧の低下とＴＦＴピンチオフ電圧の低下とを考慮してカソード電源電圧ＣＶを上昇させ、ＰＶＤＤ−ＣＶを小さくし、ＣＶマージンがデータ信号Ｖsigmaxが変化しても所定範囲となるように調整する。ここで、上記データ信号Ｖsigmaxを低下させることにより、ＥＬ素子１８の動作点は、基準動作値より低下し、この基準動作値は、例えば、対応するＴＦＴ特性のピンチオフ電圧に対して、絶対値で１Ｖ以上大きく、｜ＰＶＤＤ−ＣＶ｜未満の電圧値である。さらに、この基準動作値は、一例として、パネルで実現される最大発光輝度状態におけるＥＬ素子１８の電圧値に設定することができる。本実施形態では、このようなＥＬ素子１８の動作電圧を基準動作値よりも低くする場合に、その低下分に応じて、ＰＶＤＤとＣＶとの差を上記基準動作時の条件よりも縮小する。」
「【００５７】
  さらに、表示内容に応じてＣＶマージンを調整しても良い。これは、静止画像を表示する場合に有効で、静止画表示において、１フレーム期間中のデータ信号Ｖsigmaxを検出し、その値が基準のＶsigmaxより小さければ（Ｓ１４）、カソード電源電圧ＣＶを上昇させる（Ｓ１５）方法である。このようなＣＶマージン調整によっても、確実に消費電力の低減を図ることができる。」
　
　引用発明と上記周知技術は、いずれも有機ＥＬ表示装置という同じ技術分野に属するものであって、消費電力の低減という共通の課題を解決しようとするものであるから、引用発明に上記周知技術を適用することは当業者が容易になし得たものである。また、その際に、画像データの最高値の検出においても、「小さくした画像データ」を対象とすることは当然である。
　
（２）相違点２について：
　２つの電圧の電位差を調整する際に、その目標値を電圧の差値として計算して用いるか、ほかに、例えば直接的に２つの電圧の値として導出して用いるか、といった程度のことは、具体的な回路設計の段階において当業者が適宜決定すべき設計事項に過ぎない。
　
　そして、本願発明の作用効果も、引用発明及び周知技術から当業者が予測可能なものであって、格別のものではない。
　
　したがって、本願発明は引用発明及び周知技術に基づいて当業者が容易に発明し得たものである。
　
　
７．むすび
　以上のとおり、本願発明は、引用発明及び周知技術に基づいて当業者が容易に発明をすることができたものであるから、特許法第２９条第２項の規定により特許を受けることができない。
　したがって、他の請求項に係る発明について審理するまでもなく、本願は当審拒絶理由によって拒絶すべきものである。
　よって、結論のとおり審決する。